【手続補正書】
【提出日】平成21年1月22日(2009.1.22)
【手続補正１】
【補正対象書類名】特許請求の範囲
【補正対象項目名】全文
【補正方法】変更
【補正の内容】
【特許請求の範囲】
【請求項１】
プリンタとキャッシュレジスタとによるプリントシステムであって、
前記プリンタは、
記録媒体を装着するスロットと、
所望の画像を表示するプリンタの表示部と、
ユーザーの操作を入力するプリンタの入力部と、
前記キャッシュレジスタとの間で種々のデータを送受するプリンタのデータ通信部と、
前記スロットに装着された前記記録媒体に記録された静止画像を印刷する印刷部とを備え、
前記記録媒体に記録された画像を前記プリンタの表示部で表示し、前記プリンタの入力部により印刷対象、印刷枚数、印刷サイズの入力を受け付け、
前記プリンタのデータ通信部を介した前記キャッシュレジスタからの印刷の指示により、前記プリンタの入力部で入力を受け付けた印刷対象、印刷枚数、印刷サイズによる印刷を前記印刷部で開始し、
前記キャッシュレジスタは、
前記プリンタの入力部で受け付けた印刷枚数、印刷サイズによる印刷に要する料金を表示するキャッシュレジスタの表示部と、
店員の操作を入力するキャッシュレジスタの入力部と、
前記プリンタとの間で種々のデータを送受するキャッシュレジスタのデータ通信部とを備え、
前記キャッシュレジスタの入力部による入力により、前記プリンタの入力部で受け付けた印刷枚数、印刷サイズによる印刷に要する料金の精算を受け付け、
前記印刷に要する料金が精算されると、前記キャッシュレジスタのデータ通信部により前記プリンタに印刷を指示する
プリントシステム。
【請求項２】
前記プリンタは、
前記印刷部が、前記スロット、前記プリンタの表示部、前記プリンタの入力部、前記プリンタのデータ通信部と別体に設けられた
請求項１に記載のプリントシステム。
【請求項３】
前記プリンタは、
前記印刷に要する料金を計算して前記プリンタの表示部で表示すると共に、前記キャッシュレジスタによる前記印刷に要する料金の精算をユーザーに指示し、前記プリンタのデータ通信部により前記プリンタの入力部で入力を受け付けた印刷枚数、印刷サイズ、前記印刷に要する料金を前記キャッシュレジスタに通知し、
前記キャッシュレジスタは、
前記キャッシュレジスタのデータ通信部を介して前記プリンタから入力される前記印刷枚数、印刷サイズ、前記印刷に要する料金を前記キャッシュレジスタの表示部で表示する
請求項１に記載のプリントシステム。
【請求項４】
前記キャッシュレジスタは、
前記プリンタから通知された前記印刷枚数、印刷サイズ、前記印刷に要する料金を、ＰＯＳサーバーに通知する
請求項３に記載のプリントシステム。
【請求項５】
前記プリンタは、
前記印刷部で印刷に要した料金を計算して前記プリンタのデータ通信部により前記キャッシュレジスタに通知し、
前記キャッシュレジスタは、
前記印刷に要する料金と、前記印刷に要した料金とで差額が発生している場合には、前記キャッシュレジスタの入力部の操作により、前記差額の精算を受け付ける
請求項３に記載のプリントシステム。
【請求項６】
前記プリンタは、
前記印刷部で印刷に要した料金と共に、前記印刷部で印刷した印刷枚数、印刷サイズを前記プリンタのデータ通信部により前記キャッシュレジスタに通知し、
前記キャッシュレジスタは、
前記プリンタから通知された前記印刷部で印刷した印刷枚数、印刷サイズ、前記印刷に要した料金を、ＰＯＳサーバーに通知する
請求項５に記載のプリントシステム。
【請求項７】
前記キャッシュレジスタは、
前記キャッシュレジスタのデータ通信部により、少なくとも前記プリンタに前記印刷の単価の変更を通知し、
前記プリンタは、
前記キャッシュレジスタからの通知に基づいて、前記印刷に要する料金を計算する
請求項２に記載のプリントシステム。
【請求項８】
キャッシュレジスタと共にプリントシステムを形成するプリンタであって、
記録媒体を装着するスロットと、
所望の画像を表示する表示部と、
ユーザーの操作を入力する入力部と、
前記キャッシュレジスタとの間で種々のデータを送受するデータ通信部と、
前記スロットに装着された前記記録媒体に記録された静止画像を印刷する印刷部とを備え、
前記記録媒体に記録された画像を前記プリンタの表示部で表示し、前記入力部により印刷対象、印刷枚数、印刷サイズの入力を受け付け、
前記データ通信部を介した前記キャッシュレジスタからの印刷の指示により、前記入力部で入力を受け付けた印刷対象、印刷枚数、印刷サイズによる印刷を前記印刷部で開始する
プリンタ。
【請求項９】
キャッシュレジスタと共にプリントシステムを形成するプリンタの制御方法であって、
前記プリンタは、
記録媒体を装着するスロットと、
所望の画像を表示する表示部と、
ユーザーの操作を入力する入力部と、
前記キャッシュレジスタとの間で種々のデータを送受するデータ通信部と、
前記スロットに装着された前記記録媒体に記録された静止画像を印刷する印刷部とを備え、
前記制御方法は、
前記記録媒体に記録された画像を前記表示部で表示し、前記入力部により印刷対象、印刷枚数、印刷サイズの入力を受け付ける入力受け付けのステップと、
前記データ通信部を介した前記キャッシュレジスタからの印刷の指示により、前記入力受け付けのステップで入力を受け付けた印刷対象、印刷枚数、印刷サイズによる印刷を前記印刷部で実行する印刷のステップとを有する
プリンタの制御方法。
【請求項１０】
キャッシュレジスタと共にプリントシステムを形成するプリンタの制御方法のプログラムであって、
前記プリンタは、
記録媒体を装着するスロットと、
所望の画像を表示する表示部と、
ユーザーの操作を入力する入力部と、
前記キャッシュレジスタとの間で種々のデータを送受するデータ通信部と、
前記スロットに装着された前記記録媒体に記録された静止画像を印刷する印刷部とを備え、
前記制御方法のプログラムは、
前記記録媒体に記録された画像を前記表示部で表示し、前記入力部により印刷対象、印刷枚数、印刷サイズの入力を受け付ける入力受け付けのステップと、
前記データ通信部を介した前記キャッシュレジスタからの印刷の指示により、前記入力受け付けのステップで入力を受け付けた印刷対象、印刷枚数、印刷サイズによる印刷を前記印刷部で実行する印刷のステップとを有する
プリンタの制御方法のプログラム。
【請求項１１】
キャッシュレジスタと共にプリントシステムを形成するプリンタの制御方法のプログラムを記録した記録媒体であって、
前記プリンタは、
記録媒体を装着するスロットと、
所望の画像を表示する表示部と、
ユーザーの操作を入力する入力部と、
前記キャッシュレジスタとの間で種々のデータを送受するデータ通信部と、
前記スロットに装着された前記記録媒体に記録された静止画像を印刷する印刷部とを備え、
前記制御方法のプログラムは、
前記記録媒体に記録された画像を前記表示部で表示し、前記入力部により印刷対象、印刷枚数、印刷サイズの入力を受け付ける入力受け付けのステップと、
前記データ通信部を介した前記キャッシュレジスタからの印刷の指示により、前記入力受け付けのステップで入力を受け付けた印刷対象、印刷枚数、印刷サイズによる印刷を前記印刷部で実行する印刷のステップとを有する
プリンタの制御方法のプログラムを記録した記録媒体。
【請求項１２】
プリンタと共にプリントシステムを形成するキャッシュレジスタであって、
前記プリンタの入力部で受け付けた印刷枚数、印刷サイズによる印刷に要する料金を表示する表示部と、
店員の操作を入力する入力部と、
前記プリンタとの間で種々のデータを送受するデータ通信部とを備え、
前記入力部による入力により、前記プリンタで入力を受け付けた印刷枚数、印刷サイズによる印刷に要する料金の精算を受け付け、
前記印刷に要する料金が精算されると、前記データ通信部により前記プリンタに前記印刷枚数、印刷サイズによる印刷を指示する
キャッシュレジスタ。
【請求項１３】
プリンタと共にプリントシステムを形成するキャッシュレジスタの制御方法であって、
前記キャッシュレジスタは、
前記プリンタの入力部で受け付けた印刷枚数、印刷サイズによる印刷に要する料金を表示する表示部と、
店員の操作を入力する入力部と、
前記プリンタとの間で種々のデータを送受するデータ通信部とを備え、
前記制御方法は、
前記入力部による入力により、前記プリンタで入力を受け付けた印刷枚数、印刷サイズによる印刷に要する料金の精算を受け付ける精算のステップと、
前記精算のステップにより前記印刷に要する料金が精算されると、前記データ通信部により前記プリンタに前記印刷枚数、印刷サイズによる印刷を指示する印刷指示のステップとを有する
キャッシュレジスタの制御方法。
【請求項１４】
プリンタと共にプリントシステムを形成するキャッシュレジスタの制御方法のプログラムであって、
前記キャッシュレジスタは、
前記プリンタの入力部で受け付けた印刷枚数、印刷サイズによる印刷に要する料金を表示する表示部と、
店員の操作を入力する入力部と、
前記プリンタとの間で種々のデータを送受するデータ通信部とを備え、
前記制御方法のプログラムは、
前記入力部による入力により、前記プリンタで入力を受け付けた印刷枚数、印刷サイズによる印刷に要する料金の精算を受け付ける精算のステップと、
前記精算のステップにより前記印刷に要する料金が精算されると、前記データ通信部により前記プリンタに前記印刷枚数、印刷サイズによる印刷を指示する印刷指示のステップとを有する
キャッシュレジスタの制御方法のプログラム。
【請求項１５】
プリンタと共にプリントシステムを形成するキャッシュレジスタの制御方法のプログラムを記録した記録媒体であって、
前記キャッシュレジスタは、
前記プリンタの入力部で受け付けた印刷枚数、印刷サイズによる印刷に要する料金を表示する表示部と、
店員の操作を入力する入力部と、
前記プリンタとの間で種々のデータを送受するデータ通信部とを備え、
前記制御方法のプログラムは、
前記入力部による入力により、前記プリンタで入力を受け付けた印刷枚数、印刷サイズによる印刷に要する料金の精算を受け付ける精算のステップと、
前記精算のステップにより前記印刷に要する料金が精算されると、前記データ通信部により前記プリンタに前記印刷枚数、印刷サイズによる印刷を指示する印刷指示のステップとを有する
キャッシュレジスタの制御方法のプログラムを記録した記録媒体。